(57)【要約】【課題】商品を収納空間に斜めに挿入して陳列するとともに、収納空間に仕切りを設け、商品を同じ方向から収納する商品陳列具において、組立てが容易で、製造コストが低減でき、陳列具を組み立てた状態において、商品挿入側と反対側の側板部や商品挿入口を構成する傾斜板部が折曲せず、組立て状態を十分維持できる陳列具を提供する。【解決手段】商品陳列具５は、外左側面部１２と内左側面部１４を有する左側面部１０と、内左側面部１４から連設され、傾斜板部２０−１〜２０−５を有する傾斜板部群２０と、各傾斜板部から連設された右側面部３０と、外左側面部１２から連設された内背面部６０と、内背面部６０から連設された仕切り部７０と、右側面部３０から連設された外背面部４０と、外背面部４０から連設された差込み部４２〜４６とを有している。【選択図】図１
0003196576.tif 000002
【実用新案登録請求の範囲】
【請求項１】
商品陳列具であって、
商品陳列具がシート状のブランクにより形成され、
外左側面部（１２）と、外左側面部の正面側の辺部から第１折れ線（Ｃ１０）を介して連設され外左側面部の内側に折り返されて外左側面部の内側の面に接着された内左側面部（１４）とを有する左側面部（１０）と、
内左側面部の背面側から連設された傾斜板部群で、背面側から正面側に向けて上方に傾斜した第２折れ線（Ｃ２１ａ、Ｃ２２ａ、Ｃ２３ａ、Ｃ２４ａ、Ｃ２５ａ）を介して内左側面部から連設された傾斜板部（２０−１〜２０−５）を上下方向に複数有する傾斜板部群（２０）と、
各傾斜板部における第２折れ線と反対側の辺部から第２折れ線と平行な第３折れ線（Ｃ２１ｂ、Ｃ２２ｂ、Ｃ２３ｂ、Ｃ２４ｂ、Ｃ２５ｂ）を介して連設された右側面部（３０）と、
外左側面部の背面側の辺部から第４折れ線（Ｃ１２）を介して連設された内背面部（６０）と、
内背面部の外左側面部とは反対側の辺部から第５折れ線（Ｃ１３）を介して連設された仕切り部（７０）と、
右側面部における傾斜板部が連設された側と反対側で背面側の辺部から第６折れ線（Ｃ１１）を介して連設された外背面部（４０）と、
外背面部の左側面側の辺部から連設された差込み片部で、第４折れ線に沿って形成された被差込み部（８２Ｐ、８４Ｐ、８６Ｐ）に差し込むための差込み片部（４２、４４、４６）と、
を有し、
傾斜板部群における傾斜板部の背面側の辺部と仕切り部における内背面部とは反対側の辺部には、互いに係合するために切欠部が形成され、
第１折れ線と第４折れ線と第５折れ線と第６折れ線とは、互いに平行に形成され、
内背面部を外左側面部に対して折曲するとともに、仕切り部を内背面部に対して折曲して仕切り部の切欠部を傾斜板部の切欠部に係合させることにより、仕切り部を傾斜板部に固定し、外背面部を右側面部に対して折曲して外背面部を内背面部の背面側に配置し、差込み片部を被差込み部に差し込むことにより商品陳列具が組み立てられることを特徴とする商品陳列具。
【請求項２】
第２折れ線の第１折れ線に対する角度が４５度であるとともに、第３折れ線の第６折れ線に対する角度が４５度であることを特徴とする請求項１に記載の商品陳列具。
【請求項３】
商品陳列具であって、
商品陳列具がシート状のブランクにより形成され、
外右側面部（１２’）と、外右側面部の正面側の辺部から第１折れ線（Ｃ１０’）を介して連設され外右側面部の内側に折り返されて外右側面部の内側の面に接着された内右側面部（１４’）とを有する右側面部（１０’）と、
内右側面部の背面側から連設された傾斜板部群で、背面側から正面側に向けて上方に傾斜した第２折れ線（Ｃ２１ａ’、Ｃ２２ａ’、Ｃ２３ａ’、Ｃ２４ａ’、Ｃ２５ａ’）を介して内右側面部から連設された傾斜板部（２０−１’〜２０−５’）を上下方向に複数有する傾斜板部群（２０’）と、
各傾斜板部における第２折れ線と反対側の辺部から第２折れ線と平行な第３折れ線（Ｃ２１ｂ’、Ｃ２２ｂ’、Ｃ２３ｂ’、Ｃ２４ｂ’、Ｃ２５ｂ’）を介して連設された左側面部（３０’）と、
外右側面部の背面側の辺部から第４折れ線（Ｃ１２’）を介して連設された内背面部（６０）と、
内背面部の外右側面部とは反対側の辺部から第５折れ線（Ｃ１３’）を介して連設された仕切り部（７０’）と、
左側面部における傾斜板部が連設された側と反対側で背面側の辺部から第６折れ線（Ｃ１１’）を介して連設された外背面部（４０’）と、
外背面部の右側面側の辺部から連設された差込み片部で、第４折れ線に沿って形成された被差込み部（８２Ｐ’、８４Ｐ’、８６Ｐ’）に差し込むための差込み片部（４２’、４４’、４６’）と、
を有し、
傾斜板部群における傾斜板部の背面側の辺部と仕切り部における内背面部とは反対側の辺部には、互いに係合するために切欠部が形成され、
第１折れ線と第４折れ線と第５折れ線と第６折れ線とは、互いに平行に形成され、
内背面部を外右側面部に対して折曲するとともに、仕切り部を内背面部に対して折曲して仕切り部の切欠部を傾斜板部の切欠部に係合させることにより、仕切り部を傾斜板部に固定し、外背面部を左側面部に対して折曲して外背面部を内背面部の背面側に配置し、差込み片部を被差込み部に差し込むことにより商品陳列具が組み立てられることを特徴とする商品陳列具。
【請求項４】
第２折れ線の第１折れ線に対する角度が４５度であるとともに、第３折れ線の第６折れ線に対する角度が４５度であることを特徴とする請求項３に記載の商品陳列具。
【請求項５】
折返し部（５０）が、外背面部の上辺と、外背面部の右側面側の辺部における上端領域と、外背面部の左側面側の辺部における上端領域とにおけるいずれかから連設され、該折返し部が、外背面部に対して折り返して外背面部と重なって形成され、
該折返し部には、左右方向に間隔を介して一対の第１穴部（５０ａ、５０ｂ）が形成されるとともに、外背面部の上端領域には、左右方向に間隔を介して一対の第２穴部（４０ａ、４０ｂ）が形成され、
一対の第１穴部の一方が一対の第２穴部の一方と重なって配置されて、該第１穴部の一方と該第２穴部の一方により、商品陳列具を吊り下げるための紐状部材を挿通するための第１挿通部（５５ａ、５５ａ’）が形成され、
一対の第１穴部の他方が一対の第２穴部の他方と重なって配置されて、該第１穴部の他方と該第２穴部の他方により、商品陳列具を吊り下げるための紐状部材を挿通するための第２挿通部（５５ｂ、５５ｂ’）が形成されていることを特徴とする請求項１又は２又は３又は４に記載の商品陳列具。
【考案の詳細な説明】
【技術分野】
【０００１】
本考案は、商品を斜めに挿入して陳列する商品陳列具に関するものであり、特に、商品を収納空間に斜めに挿入して陳列するとともに、収納空間に仕切りを設けた商品陳列具に関するものである。
【背景技術】
【０００２】
商品を収納空間に斜めに挿入して陳列するとともに、収納空間に仕切りを設けた商品陳列具で、商品を同じ方向から収納するものとして、特許文献１に記載の商品陳列具が存在する。
【０００３】
すなわち、特許文献１の商品陳列具は、後面板１と前面板４の一側に側面板２を設け、前面板４の他側に複数段の側段板５を上下に並べて配設し、側段板５の先端にわたって後面板１に重なる後重板６を設け、各側段板５の両端の斜罫線７をそれぞれ山折り及び谷折りし、側段板５間の切目８を拡大させて商品挿入部２２を形成すると共に、側段板５を上方へかけて外側へ傾斜させ、側段板５で商品を受け止める商品陳列具において、側段板５の中間部に上下方向の折畳用罫線１１を入れ、後面板１から延びる側面板２と、前面板４から延びる側面板２の間に、これらを繋ぐ仕切板３を介在させ、側段板５の中間部を仕切板３に係合させて支持するものである。
【先行技術文献】
【特許文献】
【０００４】
【特許文献１】特開２００７−１１７１５５号公報
【考案の概要】
【考案が解決しようとする課題】
【０００５】
しかし、特許文献１に記載の商品陳列具においては、陳列具の組立てに際して、折曲片１３，１４及び天折片９を水平に折り曲げて、底蓋板１０及び天蓋板１５を閉じ、係合切込１７を噛み合わせつつ、底蓋板１０及び天蓋板１５の差込片１６を側面板２の内側に差し込み、天蓋板１５の差込片１９を差込穴２０に差し込み、また、仕切板３から突出した支持片１２により、側段板５の中間部を支持するという作業が必要であり、組立てに手間を要するという問題があった。
【０００６】
また、特許文献１に記載の商品陳列具においては、後面板１、側面板２、仕切板３、前面板４の他に底蓋板１０、折曲片１３、１４、天蓋１５、差込片１６、１９等が必要で、全体で構成が複雑で、コストが掛かるという問題があった。
【０００７】
また、特許文献１に記載の商品陳列具においては、２つの側面板２の間に一対の仕切板３が貼り合わされ、また、側段板５にも折畳用罫線１１が設けることにより、折り畳み状態とすることができ、底蓋板１０及び天蓋板１５の差込片１６を側面板２の内側に差し込むことにより組立状態を維持することができるが、前後方向における中央付近では、一対の側面板２（商品挿入側と反対側の側板部）が平板状ではなく折曲した状態となり、側段板５（商品挿入口を構成する傾斜板部）も折曲してしまい、組立て状態を十分維持できなくなるという問題がある。
【０００８】
そこで、本考案は、商品を収納空間に斜めに挿入して陳列するとともに、収納空間に仕切りを設けた商品陳列具で、商品を同じ方向から収納する商品陳列具において、組立てが容易で、製造コストが低減でき、さらには、陳列具を組み立てた状態において、商品挿入側と反対側の側板部や商品挿入口を構成する傾斜板部が折曲せず、組立て状態を十分維持できる陳列具を提供することを目的とする。
【課題を解決するための手段】
【０００９】
本考案は上記問題点を解決するために創作されたものであって、第１には、商品陳列具であって、商品陳列具がシート状のブランクにより形成され、外左側面部（１２）と、外左側面部の正面側の辺部から第１折れ線（Ｃ１０）を介して連設され外左側面部の内側に折り返されて外左側面部の内側の面に接着された内左側面部（１４）とを有する左側面部（１０）と、内左側面部の背面側から連設された傾斜板部群で、背面側から正面側に向けて上方に傾斜した第２折れ線（Ｃ２１ａ、Ｃ２２ａ、Ｃ２３ａ、Ｃ２４ａ、Ｃ２５ａ）を介して内左側面部から連設された傾斜板部（２０−１〜２０−５）を上下方向に複数有する傾斜板部群（２０）と、各傾斜板部における第２折れ線と反対側の辺部から第２折れ線と平行な第３折れ線（Ｃ２１ｂ、Ｃ２２ｂ、Ｃ２３ｂ、Ｃ２４ｂ、Ｃ２５ｂ）を介して連設された右側面部（３０）と、外左側面部の背面側の辺部から第４折れ線（Ｃ１２）を介して連設された内背面部（６０）と、内背面部の外左側面部とは反対側の辺部から第５折れ線（Ｃ１３）を介して連設された仕切り部（７０）と、右側面部における傾斜板部が連設された側と反対側で背面側の辺部から第６折れ線（Ｃ１１）を介して連設された外背面部（４０）と、外背面部の左側面側の辺部から連設された差込み片部で、第４折れ線に沿って形成された被差込み部（８２Ｐ、８４Ｐ、８６Ｐ）に差し込むための差込み片部（４２、４４、４６）と、を有し、傾斜板部群における傾斜板部の背面側の辺部と仕切り部における内背面部とは反対側の辺部には、互いに係合するために切欠部が形成され、第１折れ線と第４折れ線と第５折れ線と第６折れ線とは、互いに平行に形成され、内背面部を外左側面部に対して折曲するとともに、仕切り部を内背面部に対して折曲して仕切り部の切欠部を傾斜板部の切欠部に係合させることにより、仕切り部を傾斜板部に固定し、外背面部を右側面部に対して折曲して外背面部を内背面部の背面側に配置し、差込み片部を被差込み部に差し込むことにより商品陳列具が組み立てられることを特徴とする。
【００１０】
第１の構成の構成の商品陳具においては、左側面部と内背面部と仕切り部とを略コ字状に折り曲げて、仕切り部を傾斜板部に係合させ、さらに、外背面部を右側面部に対して折り曲げて差込み片部を被差込み部に差し込むことにより組み立てることができるので、組立てが容易であり、また、陳列具の上方を塞ぐ構成が必要ないとともに、陳列具の下方を塞ぐ構成が必要なく、簡易な構成とできるので、製造コストを低減させることができる。
【００１１】
また、商品陳列具を組み立てた状態では、仕切り部を支持する内背面部を外背面部により押さえるので、組立て状態において、背面側（つまり、商品挿入側と反対側）が折れ曲がることがなく、また、傾斜板部自体にも折れ線が形成されていないので、組立て状態を十分維持することが可能となる。
【００１２】
また、第２には、上記第１の構成において、第２折れ線の第１折れ線に対する角度が４５度であるとともに、第３折れ線の第６折れ線に対する角度が４５度であることを特徴とする。
【００１３】
また、第３には、商品陳列具であって、商品陳列具がシート状のブランクにより形成され、外右側面部（１２’）と、外右側面部の正面側の辺部から第１折れ線（Ｃ１０’）を介して連設され外右側面部の内側に折り返されて外右側面部の内側の面に接着された内右側面部（１４’）とを有する右側面部（１０’）と、内右側面部の背面側から連設された傾斜板部群で、背面側から正面側に向けて上方に傾斜した第２折れ線（Ｃ２１ａ’、Ｃ２２ａ’、Ｃ２３ａ’、Ｃ２４ａ’、Ｃ２５ａ’）を介して内右側面部から連設された傾斜板部（２０−１’〜２０−５’）を上下方向に複数有する傾斜板部群（２０’）と、各傾斜板部における第２折れ線と反対側の辺部から第２折れ線と平行な第３折れ線（Ｃ２１ｂ’、Ｃ２２ｂ’、Ｃ２３ｂ’、Ｃ２４ｂ’、Ｃ２５ｂ’）を介して連設された左側面部（３０’）と、外右側面部の背面側の辺部から第４折れ線（Ｃ１２’）を介して連設された内背面部（６０）と、内背面部の外右側面部とは反対側の辺部から第５折れ線（Ｃ１３’）を介して連設された仕切り部（７０’）と、左側面部における傾斜板部が連設された側と反対側で背面側の辺部から第６折れ線（Ｃ１１’）を介して連設された外背面部（４０’）と、外背面部の右側面側の辺部から連設された差込み片部で、第４折れ線に沿って形成された被差込み部（８２Ｐ’、８４Ｐ’、８６Ｐ’）に差し込むための差込み片部（４２’、４４’、４６’）と、を有し、傾斜板部群における傾斜板部の背面側の辺部と仕切り部における内背面部とは反対側の辺部には、互いに係合するために切欠部が形成され、第１折れ線と第４折れ線と第５折れ線と第６折れ線とは、互いに平行に形成され、内背面部を外右側面部に対して折曲するとともに、仕切り部を内背面部に対して折曲して仕切り部の切欠部を傾斜板部の切欠部に係合させることにより、仕切り部を傾斜板部に固定し、外背面部を左側面部に対して折曲して外背面部を内背面部の背面側に配置し、差込み片部を被差込み部に差し込むことにより商品陳列具が組み立てられることを特徴とする。
【００１４】
第３の構成の構成の商品陳具においては、右側面部と内背面部と仕切り部とを略コ字状に折り曲げて、仕切り部を傾斜板部に係合させ、さらに、外背面部を左側面部に対して折り曲げて差込み片部を被差込み部に差し込むことにより組み立てることができるので、組立てが容易であり、また、特許文献１の商品陳列具に比べて、陳列具の上方を塞ぐ構成（天蓋板１５、折曲片１３、差込片１６、１９）が必要なく、また、陳列具の下方を塞ぐ構成（底蓋板１０、折曲片１３、１４差込片１６）が必要なく、簡易な構成とできるので、製造コストを低減させることができる。
【００１５】
また、商品陳列具を組み立てた状態では、仕切り部を支持する内背面部を外背面部により押さえるので、組立て状態において、背面側（つまり、商品挿入側と反対側）が折れ曲がることがなく、また、傾斜板部自体にも折れ線が形成されていないので、組立て状態を十分維持することが可能となる。
【００１６】
また、第４には、上記第３の構成において、第２折れ線の第１折れ線に対する角度が４５度であるとともに、第３折れ線の第６折れ線に対する角度が４５度であることを特徴とする。
【００１７】
また、第５には、上記第１から第４までのいずれかの構成において、折返し部（５０）が、外背面部の上辺と、外背面部の右側面側の辺部における上端領域と、外背面部の左側面側の辺部における上端領域とにおけるいずれかから連設され、該折返し部が、外背面部に対して折り返して外背面部と重なって形成され、該折返し部には、左右方向に間隔を介して一対の第１穴部（５０ａ、５０ｂ）が形成されるとともに、外背面部の上端領域には、左右方向に間隔を介して一対の第２穴部（４０ａ、４０ｂ）が形成され、一対の第１穴部の一方が一対の第２穴部の一方と重なって配置されて、該第１穴部の一方と該第２穴部の一方により、商品陳列具を吊り下げるための紐状部材を挿通するための第１挿通部（５５ａ、５５ａ’）が形成され、一対の第１穴部の他方が一対の第２穴部の他方と重なって配置されて、該第１穴部の他方と該第２穴部の他方により、商品陳列具を吊り下げるための紐状部材を挿通するための第２挿通部（５５ｂ、５５ｂ’）が形成されていることを特徴とする。
【００１８】
第５の構成においては、第１挿通部と第２挿通部に紐状部材を挿通することにより、商品陳列具を吊り下げた状態とすることができる。また、第１挿通部と第２挿通部が形成された領域が外背面部と折返し部により二重に形成されているので、第１挿通部と第２挿通部の周辺の領域の耐久性を向上させることができる。
【考案の効果】
【００１９】
本考案に基づく商品陳列具によれば、左側面部と内背面部と仕切り部とを略コ字状に折り曲げて、仕切り部を傾斜板部に係合させ、さらに、外背面部を右側面部に対して折り曲げて差込み片部を被差込み部に差し込むことにより組み立てることができるので、組立てが容易であり、また、陳列具の上方を塞ぐ構成が必要ないとともに、陳列具の下方を塞ぐ構成が必要なく、簡易な構成とできるので、製造コストを低減させることができる。
【００２０】
また、商品陳列具を組み立てた状態では、仕切り部を支持する内背面部を外背面部により押さえるので、組立て状態において、背面側（つまり、商品挿入側と反対側）が折れ曲がることがなく、また、傾斜板部自体にも折れ線が形成されていないので、組立て状態を十分維持することが可能となる。
【図面の簡単な説明】
【００２１】
【図１】商品陳列具の右側面側からの前方斜視図である。
【図２】商品陳列具の左側面側からの前方斜視図である。
【図３】商品陳列具の左側面側からの後方斜視図である。
【図４】商品陳列具の展開図である。
【図５】図４の要部拡大図である。
【図６】商品陳列具の折り畳まれた状態を示す図である。
【図７】商品陳列具の折り畳まれた状態を示す図である。
【図８】商品陳列具を組み立てる途中の状態を示す説明図である。
【図９】商品陳列具を組み立てる途中の状態を示す説明図である。
【図１０】商品陳列具の使用状態を示す説明図である。
【図１１】商品陳列具の使用状態を示す説明図である。
【図１２】商品陳列具の他の例を示す要部展開図である。
【図１３】商品陳列具の他の例を示す要部展開図である。
【図１４】商品陳列具の他の例を示す展開図である。
【図１５】商品陳列具の他の例を示す左側面側からの前方斜視図である。
【図１６】商品陳列具の他の例を示す展開図である。
【考案を実施するための形態】
【００２２】
本考案においては、商品を収納空間に斜めに挿入して陳列するとともに、収納空間に仕切りを設けた商品陳列具で、商品を同じ方向から収納する商品陳列具において、組立てが容易で、製造コストが低減でき、さらには、陳列具を組み立てた状態において、商品挿入側と反対側の側板部や商品挿入口を構成する傾斜板部が折曲せず、組立て状態を十分維持できる陳列具を提供するという目的を以下のようにして実現した。
【００２３】
商品陳列具５は、図１〜図５に示すように構成され、左側面部１０と、左側面部１０から連設された傾斜板部群２０と、傾斜板部群２０から連設された右側面部３０と、右側面部３０から連設された外背面部４０と、外背面部４０の右側面部３０とは反対側の辺部から連設された差込み片部４２、４４、４６と、右側面部３０の上辺から連設された折返し部５０と、左側面部１０の背面側の辺部から連設された内背面部６０と、内背面部６０の左側面部１０と反対側の辺部から連設された仕切り部７０とを有している。商品陳列具５は、図４、図５に示すように、図４に示すように、全体に１枚のシート状のブランク（具体的には、段ボール製（例えば、薄型段ボール製）のブランクであり、厚紙製のブランク等の他の紙製のブランクでもよい）により形成されている。つまり、商品陳列具５は、段ボール材（特に、両面段ボール材）等の紙製の商品陳列具である。段ボールにおける断面略波形形状の中芯の段の方向は、図５における円内に示す方向となっていて、折れ線Ｃ１０、Ｃ１１、Ｃ１２、Ｃ１３とは直角となっている（なお、段ボールにおける中芯の段の方向はこれには限られない）。
【００２４】
左側面部１０は、外左側面部１２と内左側面部１４とを有し、外左側面部１２は、縦長の長方形状を呈している。
【００２５】
また、内左側面部１４は、外左側面部１２の正面側の辺部から折れ線Ｃ１０（第１折れ線）を介して連設され、外左側面部１２に対して内側に折り返されて、外左側面部１２に接着されている。つまり、内左側面部１４の全面に接着剤が塗布されて、外左側面部１２の内側の面に接着されている。
【００２６】
この内左側面部１４の外左側面部１２と反対側の辺部には、直角三角形状の凹凸が形成されている。すなわち、内左側面部１４は、外左側面部１２との境界である辺部１４ａと、辺部１４ａの下端から連設され、水平方向に伸びた辺部１４ｂと、辺部１４ｂの辺部１４ａと反対側の端部から連設され、辺部１４ｂに対して正面側に４５度の角度に形成された直線状の辺部１４ｃと、辺部１４ｃの辺部１４ｂと反対側の端部から辺部１４ｃに対して背面側に９０度の角度に形成された直線状の辺部１４ｄと、辺部１４ｄの辺部１４ｃと反対側の端部から辺部１４ｄに対して正面側に９０度の角度に形成された直線状の辺部１４ｅと、辺部１４ｅの辺部１４ｄと反対側の端部から辺部１４ｅに対して背面側に９０度の角度に形成された直線状の辺部１４ｆと、辺部１４ｆの辺部１４ｅと反対側の端部から辺部１４ｆに対して正面側に９０度の角度に形成された直線状の辺部１４ｇと、辺部１４ｇの辺部１４ｆと反対側の端部から辺部１４ｇに対して背面側に９０度の角度に形成された直線状の辺部１４ｈと、辺部１４ｈの辺部１４ｇと反対側の端部から辺部１４ｈに対して正面側に９０度の角度に形成された直線状の辺部１４ｉと、辺部１４ｉの辺部１４ｈと反対側の端部から辺部１４ｉに対して背面側に９０度の角度に形成された直線状の辺部１４ｊと、辺部１４ｊの辺部１４ｉと反対側の端部から辺部１４ｊに対して正面側に９０度の角度に形成された直線状の辺部１４ｋと、辺部１４ｋの辺部１４ｊと反対側の端部から辺部１４ｋに対して背面側に９０度の角度に形成された直線状の辺部１４ｌと、辺部１４ｌの辺部１４ｋと反対側の端部から辺部１４ｌに対して正面側に４５度の角度（つまり、水平方向）に形成された直線状の辺部１４ｍと、に囲まれた形状を呈している。ここで、辺部１４ｃと辺部１４ｄと辺部１４ｅと辺部１４ｆと辺部１４ｇと辺部１４ｈと辺部１４ｉと辺部１４ｊと辺部１４ｋとは同一の長さに形成されている。
【００２７】
つまり、内左側面部１４の背面側の辺部においては、外左側面部１２との間の折れ線（辺部１４ａに沿った折れ線）に対して４５度をなし背面側から正面側に向けて上向きに傾斜した辺部（つまり、辺部１４ｃ、１４ｅ、１４ｇ、１４ｉ、１４ｋ）と外左側面部１２との折れ線に対して４５度をなし正面側から背面側に上向きに傾斜した辺部（つまり、辺部１４ｄ、１４ｆ、１４ｈ、１４ｊ、１４ｌ）とが交互に形成され、内左側面部１４の背面側には、直角三角形状の切欠きが連続して形成されている。
【００２８】
また、傾斜板部群２０は、内左側面部１４から折れ線Ｃ２１ａ〜Ｃ２５ａ（第２折れ線）を介して連設されるとともに、右側面部３０から折れ線Ｃ２１ｂ〜Ｃ２５ｂ（第３折れ線）を介して連設された傾斜板部２０−１〜２０−５を有している。
【００２９】
ここで、傾斜板部２０−１は、内左側面部１４の辺部１４ｃから折れ線Ｃ２１ａを介して連設され、長方形状を呈している。つまり、内左側面部１４の辺部１４ｃに沿った辺部と、右側面部３０の辺部３０ｃに沿った辺部と、それらの辺部に直角をなす互いに平行な辺部とにより囲まれた形状を呈し、辺部１４ｃに沿った辺部と辺部３０ｃに沿った辺部が長方形状における短辺となる。さらに、辺部１４ｃに沿った辺部の下端と辺部３０ｃに沿った辺部の下端とを結ぶ辺部２０−１ａには、該２つの下端間の略中央位置に切欠部２０−１Ｐが設けられている。この切欠部２０−１Ｐは、手前側切欠部Ｐ１０と、手前側切欠部Ｐ１０の奥側に形成された奥側切欠部Ｐ１１とを有し、手前側切欠部Ｐ１０は、大小の直角三角形をつなげた形状を呈し、辺部２０−１ａに対して傾斜した（右側面部３０側に向けて上側となるように辺部２０−１ａに対して約４５度に傾斜している）辺部Ｐ１０ａと、辺部２０−１ａに対して傾斜した（内左側面部１４側に向けて上側となるように辺部２０−１ａに対して約４５度に傾斜している）辺部Ｐ１０ｂと、辺部Ｐ１０ｂの辺部２０−１ａとは反対側の端部から連設され、辺部２０−１ａに対して直角の辺部Ｐ１０ｃとを有する切欠部であり辺部Ｐ１０ａが辺部Ｐ１０ｂよりも長く形成され、辺部Ｐ１０ａが形成する直角三角形と辺部Ｐ１０ｂが形成する直角三角形とをつなげた形状を呈し、辺部Ｐ１０ａが形成する直角三角形が辺部Ｐ１０ｂが形成する直角三角形よりも大きく形成されている。また、奥側切欠部Ｐ１１は、手前側切欠部Ｐ１０の奥側の端部（つまり、辺部２０−１ａに対して直角方向の奥側の端部）から辺部２０−１ａに対して直角方向に直線帯状に形成されている。なお、奥側切欠部Ｐ１１の右側面部３０側の辺部は、手前側切欠部Ｐ１０の辺部Ｐ１０ｃの延長線上に形成されている。奥側切欠部Ｐ１１は、傾斜板部２０−１の辺部１４ｃに沿った辺部と、傾斜板部２０−１の辺部３０ｃに沿った辺部の中間位置に設けられている。
【００３０】
なお、辺部１４ｃと傾斜板部２０−１における辺部１４ｃに沿った辺部と折れ線Ｃ２１ａとは一致している。
【００３１】
また、傾斜板部２０−２は、内左側面部１４の辺部１４ｅから折れ線Ｃ２２ａを介して連設され、長方形状を呈している。つまり、内左側面部１４の辺部１４ｅに沿った辺部と、右側面部３０の辺部３０ｅに沿った辺部と、それらの辺部に直角をなす互いに平行な辺部とにより囲まれた形状を呈し、辺部１４ｅに沿った辺部と辺部３０ｅに沿った辺部が長方形状における短辺となる。さらに、辺部１４ｅに沿った辺部の下端と辺部３０ｅに沿った辺部の下端とを結ぶ辺部２０−２ａには、該２つの下端間の略中央位置に切欠部２０−２Ｐが設けられている。切欠部２０−２Ｐの構成は、切欠部２０−１Ｐと同様の構成であるので、詳しい説明を省略する。なお、切欠部２０−２Ｐの奥側切欠部は、傾斜板部２０−２の辺部１４ｅに沿った辺部と、傾斜板部２０−２の辺部３０ｅに沿った辺部の中間位置に設けられている。傾斜板部２０−２は、傾斜板部２０−１の上側に隣接していて、傾斜板部２０−１とは直線状の切込み２１−１Ｐ介して隣接している。
【００３２】
なお、辺部１４ｅと傾斜板部２０−２における辺部１４ｅに沿った辺部と折れ線Ｃ２２ａとは一致している。
【００３３】
また、傾斜板部２０−３は、内左側面部１４の辺部１４ｇから折れ線Ｃ２３ａを介して連設され、長方形状を呈している。つまり、内左側面部１４の辺部１４ｇに沿った辺部と、右側面部３０の辺部３０ｇに沿った辺部と、それらの辺部に直角をなす互いに平行な辺部とにより囲まれた形状を呈し、辺部１４ｇに沿った辺部と辺部３０ｇに沿った辺部が長方形状における短辺となる。さらに、辺部１４ｇに沿った辺部の下端と辺部３０ｇに沿った辺部の下端とを結ぶ辺部２０−３ａには、該２つの下端間の略中央位置に切欠部２０−３Ｐが設けられている。切欠部２０−３Ｐの構成は、切欠部２０−１Ｐと同様の構成であるので、詳しい説明を省略する。なお、切欠部２０−３Ｐの奥側切欠部は、傾斜板部２０−３の辺部１４ｇに沿った辺部と、傾斜板部２０−３の辺部３０ｇに沿った辺部の中間位置に設けられている。傾斜板部２０−３は、傾斜板部２０−２の上側に隣接していて、傾斜板部２０−２とは直線状の切込み２１−２Ｐを介して隣接している。
【００３４】
なお、辺部１４ｇと傾斜板部２０−３における辺部１４ｇに沿った辺部と折れ線Ｃ２３ａとは一致している。
【００３５】
また、傾斜板部２０−４は、内左側面部１４の辺部１４ｉから折れ線Ｃ２４ａを介して連設され、長方形状を呈している。つまり、内左側面部１４の辺部１４ｉに沿った辺部と、右側面部３０の辺部３０ｉに沿った辺部と、それらの辺部に直角をなす互いに平行な辺部とにより囲まれた形状を呈し、辺部１４ｉに沿った辺部と辺部３０ｉに沿った辺部が長方形状における短辺となる。さらに、辺部１４ｉに沿った辺部の下端と辺部３０ｉに沿った辺部の下端とを結ぶ辺部２０−４ａには、該２つの下端間の略中央位置に切欠部２０−４Ｐが設けられている。切欠部２０−４Ｐの構成は、切欠部２０−１Ｐと同様の構成であるので、詳しい説明を省略する。なお、切欠部２０−４Ｐの奥側切欠部は、傾斜板部２０−４の辺部１４ｉに沿った辺部と、傾斜板部２０−４の辺部３０ｉに沿った辺部の中間位置に設けられている。傾斜板部２０−４は、傾斜板部２０−３の上側に隣接していて、傾斜板部２０−３とは直線状の切込み２１−３Ｐを介して隣接している。
【００３６】
なお、辺部１４ｉと傾斜板部２０−４における辺部１４ｉに沿った辺部と折れ線Ｃ２４ａとは一致している。
【００３７】
また、傾斜板部２０−５は、内左側面部１４の辺部１４ｋから折れ線Ｃ２５ａを介して連設され、長方形状を呈している。つまり、内左側面部１４の辺部１４ｋに沿った辺部と、右側面部３０の辺部３０ｋに沿った辺部と、それらの辺部に直角をなす互いに平行な辺部とにより囲まれた形状を呈し、辺部１４ｋに沿った辺部と辺部３０ｋに沿った辺部が長方形状における短辺となる。さらに、辺部１４ｋに沿った辺部の下端と辺部３０ｋに沿った辺部の下端とを結ぶ辺部２０−５ａには、該２つの下端間の略中央位置に切欠部２０−５Ｐが設けられている。切欠部２０−５Ｐの構成は、切欠部２０−１Ｐと同様の構成であるので、詳しい説明を省略する。なお、切欠部２０−５Ｐの奥側切欠部は、傾斜板部２０−５の辺部１４ｋに沿った辺部と、傾斜板部２０−５の辺部３０ｋに沿った辺部の中間位置に設けられている。傾斜板部２０−５は、傾斜板部２０−５の上側に隣接していて、傾斜板部２０−４とは直線状の切込み２１−４Ｐを介して隣接している。
【００３８】
なお、辺部１４ｋと傾斜板部２０−５における辺部１４ｋに沿った辺部と折れ線Ｃ２５ａとは一致している。
【００３９】
なお、傾斜板部２０−１において、内左側面部１４と折れ線以外に隣接する辺部は、直線状の切込み２１−１Ｐを介して内左側面部１４と隣接している。つまり、切込み２１−１Ｐは、辺部１４ｃに沿った辺部の上端と辺部３０ｅに沿った辺部の下端の間に形成されている。
【００４０】
また、傾斜板部２０−２において、内左側面部１４及び右側面部３０と折れ線以外に隣接する辺部は、直線状の切込み２１−１Ｐ及び２１−２Ｐを介して内左側面部１４及び右側面部３０と隣接している。切込み２１−２Ｐは、辺部１４ｅに沿った辺部の上端と辺部３０ｇに沿った辺部の下端の間に形成されている。
【００４１】
また、傾斜板部２０−３において、内左側面部１４及び右側面部３０と折れ線以外に隣接する辺部は、直線状の切込み２１−２Ｐ及び２１−３Ｐを介して内左側面部１４及び右側面部３０と隣接している。切込み２１−３Ｐは、辺部１４ｇに沿った辺部の上端と辺部３０ｉに沿った辺部の下端の間に形成されている。
【００４２】
また、傾斜板部２０−４において、内左側面部１４及び右側面部３０と折れ線以外に隣接する辺部は、直線状の切込み２１−３Ｐ及び２１−４Ｐを介して内左側面部１４及び右側面部３０と隣接している。切込み２１−４Ｐは、辺部１４ｉに沿った辺部の上端と辺部３０ｋに沿った辺部の下端の間に形成されている。
【００４３】
また、傾斜板部２０−５において、内左側面部１４及び右側面部３０と折れ線以外に隣接する辺部は、直線状の切込み２１−４Ｐ及び２１−５Ｐを介して内左側面部１４及び右側面部３０と隣接している。切込み２１−５Ｐは、辺部１４ｋに沿った辺部の上端から形成され、右側面部３０の辺部３０ｌの辺部及び傾斜板部２０−５の上側の長辺の延長線上に形成されている。
【００４４】
傾斜板部２０−１〜２０−５は、商品陳列具５の組立て状態においては、内左側面部１４との折れ線が外側（正面側としてもよい）から見て谷折りとなり、右側面部３０との折れ線が外側（正面側としてもよい）から見て山折りとなる。
【００４５】
また、右側面部３０は、傾斜板部群２０の各傾斜板部２０−１〜２０−５の辺部（右側面部３０側の短辺）から折れ線を介して連設され、右側面部３０の外背面部４０と反対側の辺部には、直角三角形状の凹凸が形成されている。すなわち、右側面部３０は、外背面部４０との境界である辺部３０ａと、辺部３０ａの下端から連設され、水平方向に伸びた辺部３０ｂと、辺部３０ｂの辺部３０ａと反対側の端部から連設され、辺部３０ｂに対して正面側に４５度の角度に形成された直線状の辺部３０ｃと、辺部３０ｃの辺部３０ｂと反対側の端部から辺部３０ｃに対して背面側に９０度の角度に形成された直線状の辺部３０ｄと、辺部３０ｄの辺部３０ｃと反対側の端部から辺部３０ｄに対して正面側に９０度の角度に形成された直線状の辺部３０ｅと、辺部３０ｅの辺部３０ｄと反対側の端部から辺部３０ｅに対して背面側に９０度の角度に形成された直線状の辺部３０ｆと、辺部３０ｆの辺部３０ｅと反対側の端部から辺部３０ｆに対して正面側に９０度の角度に形成された直線状の辺部３０ｇと、辺部３０ｇの辺部３０ｆと反対側の端部から辺部３０ｇに対して背面側に９０度の角度に形成された直線状の辺部３０ｈと、辺部３０ｈの辺部３０ｇと反対側の端部から辺部３０ｈに対して正面側に９０度の角度に形成された直線状の辺部３０ｉと、辺部３０ｉの辺部３０ｈと反対側の端部から辺部３０ｉに対して背面側に９０度の角度に形成された直線状の辺部３０ｊと、辺部３０ｊの辺部３０ｉと反対側の端部から辺部３０ｊに対して正面側に９０度の角度に形成された直線状の辺部３０ｋと、辺部３０ｋの辺部３０ｊと反対側の端部から辺部３０ｋに対して背面側に９０度の角度に形成された直線状の辺部３０ｌと、に囲まれた形状を呈している。ここで、辺部３０ｃと辺部３０ｄと辺部３０ｅと辺部３０ｆと辺部３０ｇと辺部３０ｈと辺部３０ｉと辺部３０ｊと辺部３０ｋとは同一の長さに形成されている。
【００４６】
つまり、右側面部３０の正面側の辺部においては、外背面部４０との間の折れ線（辺部３０ａに沿った折れ線）に対して４５度をなし背面側から正面側に向けて上向きに傾斜した辺部（つまり、辺部３０ｃ、３０ｅ、３０ｇ、３０ｉ、３０ｋ）と外背面部４０との折れ線に対して４５度をなし正面側から背面側に上向きに傾斜した辺部（つまり、辺部３０ｄ、３０ｆ、３０ｈ、３０ｊ、３０ｌ）とが交互に形成され、右側面部３０の背面側には、直角三角形状の切欠きが連続して形成されている。
【００４７】
なお、辺部１４ｃと辺部３０ｃとは互いに平行に形成され、辺部１４ｅと辺部３０ｅとは互いに平行に形成され、辺部１４ｇと辺部３０ｇとは互いに平行に形成され、辺部１４ｉと辺部３０ｉとは互いに平行に形成され、辺部１４ｋと辺部３０ｋとは互いに平行に形成されている。
【００４８】
つまり、右側面部３０は、折れ線Ｃ２１ａと反対側の折れ線Ｃ２１ｂ（辺部３０ｃに沿った折れ線）を介して傾斜板部２０−１から連設され、折れ線Ｃ２２ａと反対側の折れ線Ｃ２２ｂ（辺部３０ｅに沿った折れ線）を介して傾斜板部２０−２から連設され、折れ線Ｃ２３ａと反対側の折れ線Ｃ２３ｂ（辺部３０ｇに沿った折れ線）を介して傾斜板部２０−３から連設され、折れ線Ｃ２４ａと反対側の折れ線Ｃ２４ｂ（辺部３０ｉに沿った折れ線）を介して傾斜板部２０−４から連設され、折れ線Ｃ２５ａと反対側の折れ線Ｃ２５ｂ（辺部３０ｋに沿った折れ線）を介して傾斜板部２０−５から連設されている。
【００４９】
また、外背面部４０は、右側面部３０の背面側の辺部から折れ線Ｃ１１（第６折れ線）を介して連設され、略縦長の長方形状を呈している（つまり、縦長長方形状の上側の両側の角部を面取りした形状を呈している）。外背面部４０の左右方向の長さは、傾斜板部群２０における各傾斜板部２０−１〜２０−５の左右方向の長さ（つまり、内左側面部１４側の折れ線と右側面部３０側の折れ線間の長さ）と同一（略同一としてもよい）に形成されている。また、外背面部４０の上下方向の長さは、右側面部３０の上下方向の長さよりも長く形成され、外背面部４０の上端は、右側面部３０の上端よりも上方に突出し、外背面部４０の下端の上下方向の位置は、右側面部３０の下端の上下方向の位置と一致している。つまり、商品陳列具５の展開状態において、外背面部４０の下辺は、右側面部３０の辺部３０ｂの延長線上に形成されている。また、外背面部４０の上端領域には、紐状部材を挿通するための一対の穴部４０ａ、４０ｂが左右方向に間隔を介して形成されている。
【００５０】
また、差込み片部４２と差込み片部４４と差込み片部４６は、外背面部４０の左側面側の辺部（右側面部３０側とは反対側の辺部）に沿って設けられ、上側から差込み片部４２、差込み片部４４、差込み片部４６の順に間隔を介して設けられている。差込み片部４２、４４、４６は、縦長の帯状を呈し、台形形状の下部の角部を斜めに欠切した形状を呈している。差込み片部４２は、被差込み部８２Ｐに差し込まれ、差込み片部４４は、被差込み部８４Ｐに差し込まれ、差込み片部４６は、被差込み部８６Ｐに差し込まれる。被差込み部８２Ｐ、８４Ｐ、８６Ｐは、折れ線Ｃ１２に沿って形成されている。
【００５１】
また、折返し部５０は、外背面部４０の上辺から折れ線を介して連設され、略六角形を呈している。つまり、横長長方形状の外背面部４０側とは反対側の端部の左右両側の角部が面取りされた形状を呈している。
【００５２】
折返し部５０は、外背面部４０の正面側に折り返して、外背面部４０の正面側の面に接着されている。折返し部５０には、穴部４０ａ、４０ｂと対応する位置に、穴部５０ａ、５０ｂが設けられていて（つまり、穴部５０ａ、５０ｂは左右方向に間隔を介して形成されている）、穴部５０ａと穴部４０ａとが重なって穴部（第１挿通部）５５ａが形成され、穴部５０ｂと穴部４０ｂとが重なって穴部（第２挿通部）５５ｂが形成され、外背面部４０と折返し部５０とからなる外背面構成部５５には、一対の穴部５５ａ、５５ｂが左右に間隔を介して設けられている。なお、折返し部５０は、外背面部４０の正面側に折り返すとしたが、背面側に折り返して接着した構成としてもよい。
【００５３】
このように、穴部５５ａ、５５ｂが形成された領域が外背面部４０と折返し部５０により二重に形成されているので、穴部５５ａ、５５ｂの周辺の領域の耐久性を向上させることができ、商品陳列具５を吊り下げた状態で使用しても、穴部５５ａ、５５ｂが損傷するおそれを小さくすることができる。
【００５４】
また、内背面部６０は、外左側面部１２の背面側の辺部から折れ線Ｃ１２（第４折れ線）を介して連設され、略縦長長方形状に形成され、具体的には、縦長長方形状の上端を台形形状に欠切した形状を呈している。つまり、内背面部６０の上辺は、外左側面部１２側の端部から下方に傾斜した辺部と、該辺部から水平方向（内背面部６０の下辺と平行な方向）に形成された辺部とを有している。
【００５５】
被差込み部８２Ｐ、８４Ｐ、８６Ｐは、内背面部６０と外左側面部１２間の折れ線Ｃ１２上に形成された直線状の切込みにより形成されている。
【００５６】
商品陳列具５の組立て状態において、外背面部４０と内背面部６０とは重なった状態となる。
【００５７】
また、仕切り部７０は、内背面部６０の外左側面部１２とは反対側の辺部から折れ線Ｃ１３（第５折れ線）を介して連設され、縦長の帯状（略縦長長方形状）を呈している。つまり、仕切り部７０の上辺は、内背面部６０側から仕切り部７０の先端側にいくに従い下方に円弧状に湾曲して形成されている。
【００５８】
また、仕切り部７０の内背面部６０とは反対側の辺部７０ａには、切欠部７０−１Ｐ、７０−２Ｐ、７０−３Ｐ、７０−４Ｐ、７０−５Ｐが上下方向に間隔を介して設けられている。切欠部７０−１Ｐ〜７０−５Ｐは、商品陳列具５を組み立てた際に、傾斜板部２０−１〜２０−５における切欠部２０−１Ｐ〜２０−５Ｐと係合する位置に設けられている。つまり、商品陳列具５を組み立てた際に、切欠部７０−１Ｐは切欠部２０−１Ｐと係合し、切欠部７０−２Ｐは切欠部２０−２Ｐと係合し、切欠部７０−３Ｐは切欠部２０−３Ｐと係合し、切欠部７０−４Ｐは切欠部２０−４Ｐと係合し、切欠部７０−５Ｐは切欠部２０−５Ｐと係合する。
【００５９】
ここで、切欠部７０−１Ｐ〜７０−５Ｐは同一の構成であるので、切欠部７０−１Ｐを例にとって説明すると、切欠部７０−１Ｐは、手前側切欠部Ｐ２０と、手前側切欠部Ｐ２０の奥側に形成された奥側切欠部Ｐ２１とを有し、手前側切欠部Ｐ２０は、辺部７０ａに対して４５度の角度に下方に形成された直線状辺部と、該直線状辺部の下方に上向きの円弧状に形成された円弧状辺部とにより形成され、奥側切欠部Ｐ２１は、手前側切欠部Ｐ２０の奥側の端部（つまり、辺部７０ａに対して直角方向の奥側の端部）から辺部７０ａに対して４５度の角度に下方に直線帯状に形成されている。なお、奥側切欠部Ｐ２１の上側の辺部は、手前側切欠部Ｐ２０の直線状辺部の延長線上に形成されている。
【００６０】
つまり、切欠部７０−１Ｐは、辺部７０ａに対して４５度の角度に下方に形成された直線帯状の切欠きに対して、該切欠きの手前側を下方に広げた形状を呈している。
【００６１】
商品陳列具５の組立て状態において、仕切り部７０は、左側面部１０と右側面部３０の間に設けられ、左側面部１０及び右側面部３０と平行に設けられる。
【００６２】
上記構成の商品陳列具５の使用状態について説明する。商品陳列具５を折り畳んだ状態では、図６、図７に示すように、扁平上に畳むことができる。つまり、内左側面部１４と傾斜板部群２０と右側面部３０と外背面構成部５５と差込み片部４２、４４、４６とを１枚のシート状とし、外左側面部１２と内背面部６０と仕切り部７０とを１枚のシート状として、略平板状の扁平形状とすることができる。
【００６３】
商品陳列具５を図６、図７のように折り畳んだ状態から組立て状態にするには、図８に示すように、傾斜板部群２０における各傾斜板部２０−１〜２０−５を内左側面部１４に対して起立させて、右側面部３０を左側面部１０に対して離間した状態とする。
【００６４】
その後、図９に示すように、内背面部６０を外左側面部１２に対して直角に折り曲げ、さらに、仕切り部７０を内背面部６０に対して直角に折り曲げて、外左側面部１２と内背面部６０と仕切り部７０とで上面視略コ字状とし、仕切り部７０の切欠部７０−１Ｐ〜７０−５Ｐを傾斜板部２０−１〜２０−５の切欠部に係合させて、仕切り部７０を傾斜板部２０−１〜２０−５に固定する。つまり、切欠部７０−１Ｐを切欠部２０−１Ｐに係合させ、切欠部７０−２Ｐを切欠部２０−２Ｐに係合させ、切欠部７０−３Ｐを切欠部２０−３Ｐに係合させ、切欠部７０−４Ｐを切欠部２０−４Ｐに係合させ、切欠部７０−５Ｐを切欠部２０−５Ｐに係合させる。
【００６５】
なお、仕切り部７０の切欠部７０−１Ｐ〜７０−５Ｐには、手前側切欠部Ｐ２０が広く開口しているので、傾斜板部２０−１〜２０−５の切欠部２０−１Ｐ〜２０−５Ｐに係合させやすく、さらに、切欠部２０−１Ｐ〜２０−５Ｐにおいては、辺部Ｐ１０ａ側が広く開口しているので、切欠部７０−１Ｐ〜７０−５Ｐを切欠部２０−１Ｐ〜２０−５Ｐに係合する際に、辺部Ｐ１０ａ側から係合させると係合が容易となる。
【００６６】
その後、外背面部４０を右側面部３０に対して直角に折り曲げて、商品陳列具５の背面側に導き、さらに、差込み片部４２、４４、４６を外背面部４０に対して直角に折り曲げて、被差込み部８２Ｐ、８４Ｐ、８６Ｐに差し込むことにより、商品陳列具５の組立てが行われる。
【００６７】
実際の使用に際しては、図１０、図１１に示すように、穴部５５ａ、５５ｂに紐状部材Ｓを取り付けて、該紐状部材Ｓを吊下げ用のフック部Ｆに係止させて、商品陳列具５をぶら下げた状態で使用する。また、外左側面部１２は縦長長方形状に広く形成されるので、広告等の表示スペースとして利用でき、例えば、図１０、図１１に示す「新商品入荷」等のように広告を表示させることができる。
【００６８】
商品陳列具５を組み立てた状態では、傾斜板部２０−１〜２０−５の背面側に計１０個の商品収納部Ｗが形成されるので、各商品収納部Ｗに商品を収納して商品を陳列する。つまり、左側面部１０と傾斜板部２０−１〜２０−５と仕切り部７０により囲まれた商品収納部Ｗが正面視左側に上下５個設けられ、右側面部３０と傾斜板部２０−１〜２０−５と仕切り部７０により囲まれた商品収納部Ｗが正面視右側に上下５個設けられ、計１０個の商品収納部Ｗが設けられる。商品収納部Ｗにおいては、商品陳列具５をぶら下げた状態において、傾斜板部２０−１〜２０−５が、背面側にいくほど下方となるように傾斜しているので、収納された商品が容易に商品収納部Ｗから脱落することがない。
【００６９】
商品の収納の態様としては、図１０、図１１に示すように、商品Ｇを収納する。なお、図１０においては、商品の上面が視認できるように収納され、図１１においては、商品の側面が視認できるように収納されている。
【００７０】
収納されている商品を取り出す場合には、収納されている商品を斜め上方に引き出すことにより取出しを行なう。
【００７１】
本実施例の商品陳列具５によれば、左側面部１０と内背面部６０と仕切り部７０とを略コ字状に折り曲げて、仕切り部７０を傾斜板部２０−１〜２０−５に係合させ、さらに、外背面部４０を右側面部３０に対して折り曲げて差込み片部４２、４４、４６を被差込み部８２Ｐ、８４Ｐ、８６Ｐに差し込むことにより組み立てることができるので、組立てが容易であり、また、特許文献１の商品陳列具に比べて、陳列具の上方を塞ぐ構成（天蓋板１５、折曲片１３、差込片１６、１９）が必要なく、また、陳列具の下方を塞ぐ構成（底蓋板１０、折曲片１３、１４差込片１６）が必要なく、簡易な構成とできるので、製造コストを低減させることができる。
【００７２】
また、商品陳列具５を組み立てた状態では、仕切り部７０を支持する内背面部６０を外背面部４０により押さえるので、組立て状態において、背面側（つまり、商品挿入側と反対側）が折れ曲がることがなく、また、傾斜板部２０−１〜２０−５自体にも折れ線が形成されていないので、組立て状態を十分維持することが可能となる。
【００７３】
なお、上記の説明において、内左側面部１４の背面側においては、背面側から正面側に向けて上向きに傾斜した辺部（辺部１４ｃ、１４ｅ、１４ｇ、１４ｉ、１４ｋ）と、正面側から背面側に上向きに傾斜した辺部（辺部１４ｄ、１４ｆ、１４ｈ、１４ｊ、１４ｌ）とは、内左側面部１４と外左側面部１２との間の折れ線Ｃ１０に対して４５度をなし、右側面部３０の正面側においては、背面側から正面側に向けて上向きに傾斜した辺部（辺部３０ｃ、３０ｅ、３０ｇ、３０ｉ、３０ｋ）と、正面側から背面側に上向きに傾斜した辺部（辺部３０ｄ、３０ｆ、３０ｈ、３０ｊ、３０ｌ）とは、右側面部３０と外背面部４０との間の折れ線Ｃ１１に対して４５度をなし、辺部１４ｃと辺部３０ｃとは互いに平行に形成され、辺部１４ｅと辺部３０ｅとは互いに平行に形成され、辺部１４ｇと辺部３０ｇとは互いに平行に形成され、辺部１４ｉと辺部３０ｉとは互いに平行に形成され、辺部１４ｋと辺部３０ｋとは互いに平行に形成されている（つまり、内左側面部１４の辺部１４ｃ、１４ｅ、１４ｇ、１４ｉ、１４ｋに沿った折れ線Ｃ２１ａ、Ｃ２２ａ、Ｃ２３ａ、Ｃ２４ａ、Ｃ２５ａから連設されるとともに、右側面部３０の辺部３０ｃ、３０ｅ、３０ｇ、３０ｉ、３０ｋに沿った折れ線Ｃ２１ｂ、Ｃ２２ｂ、Ｃ２３ｂ、Ｃ２４ｂ、Ｃ２５ｂから連設された各傾斜板部２０−１〜２０−５が、組み立てられた状態において、外背面部４０に対して４５度の角度で正面側に傾斜している）としたが、各傾斜板部２０−１〜２０−５が、外背面部４０に対してより大きな角度で正面側に傾斜する構成としてもよい。例えば、図１２に示すように、内左側面部１４の背面側においては、辺部１４ｃ、１４ｅ、１４ｇ、１４ｉ、１４ｋ（つまり、折れ線Ｃ２１ａ〜ｃ２５ａ）が、折れ線Ｃ１０に対して５５度をなし、辺部１４ｄ、１４ｆ、１４ｈ、１４ｊ、１４ｌが、折れ線Ｃ１０に対して３５度をなし、辺部１４ｃと辺部１４ｄとが互いに直角をなし、辺部１４ｄと辺部１４ｅとが互いに直角をなし、辺部１４ｅと辺部１４ｆとが互いに直角をなし、辺部１４ｆと辺部１４ｇとが互いに直角をなし、辺部１４ｇと辺部１４ｈとが互いに直角をなし、辺部１４ｈと辺部１４ｉとが互いに直角をなし、辺部１４ｉと辺部１４ｊとが互いに直角をなし、辺部１４ｊと辺部１４ｋとが互いに直角をなし、辺部１４ｋと辺部１４ｌとが互いに直角をなし、右側面部３０の正面側においては、辺部３０ｃ、３０ｅ、３０ｇ、３０ｉ、３０ｋ（つまり、折れ線Ｃ２１ｂ〜Ｃ２５ｂ）が、折れ線Ｃ１１に対して５５度をなし、辺部３０ｄ、３０ｆ、３０ｈ、３０ｊ、３０ｌが、折れ線Ｃ１１に対して３５度をなし、辺部３０ｃと辺部３０ｄとが互いに直角をなし、辺部３０ｄと辺部３０ｅとが互いに直角をなし、辺部３０ｅと辺部３０ｆとが互いに直角をなし、辺部３０ｆと辺部３０ｇとが互いに直角をなし、辺部３０ｇと辺部３０ｈとが互いに直角をなし、辺部３０ｈと辺部３０ｉとが互いに直角をなし、辺部３０ｉと辺部３０ｊとが互いに直角をなし、辺部３０ｊと辺部３０ｋとが互いに直角をなし、辺部３０ｋと辺部３０ｌとが互いに直角をなし、内左側面部１４及び右側面部３０においては、辺部１４ｃと辺部３０ｃとが互いに平行に形成され、辺部１４ｅと辺部３０ｅとが互いに平行に形成され、辺部１４ｇと辺部３０ｇとが互いに平行に形成され、辺部１４ｉと辺部３０ｉとが互いに平行に形成され、辺部１４ｋと辺部３０ｋとが互いに平行に形成されている構成としてもよい。
【００７４】
また、組み立てられた状態において、各傾斜板部２０−１〜２０−５が、外背面部４０に対してより小さな角度で正面側に傾斜する構成としてもよい。例えば、図１３に示すように、内左側面部１４の背面側においては、辺部１４ｃ、１４ｅ、１４ｇ、１４ｉ、１４ｋ（つまり、折れ線Ｃ２１ａ〜ｃ２５ａ）が、折れ線Ｃ１０に対して３０度をなし、辺部１４ｄ、１４ｆ、１４ｈ、１４ｊ、１４ｌが、折れ線Ｃ１０に対して６０度をなし、辺部１４ｃと辺部１４ｄとが互いに直角をなし、辺部１４ｄと辺部１４ｅとが互いに直角をなし、辺部１４ｅと辺部１４ｆとが互いに直角をなし、辺部１４ｆと辺部１４ｇとが互いに直角をなし、辺部１４ｇと辺部１４ｈとが互いに直角をなし、辺部１４ｈと辺部１４ｉとが互いに直角をなし、辺部１４ｉと辺部１４ｊとが互いに直角をなし、辺部１４ｊと辺部１４ｋとが互いに直角をなし、辺部１４ｋと辺部１４ｌとが互いに直角をなし、右側面部３０の正面側においては、辺部３０ｃ、３０ｅ、３０ｇ、３０ｉ、３０ｋ（つまり、折れ線Ｃ２１ｂ〜Ｃ２５ｂ）が、折れ線Ｃ１１に対して３０度をなし、辺部３０ｄ、３０ｆ、３０ｈ、３０ｊ、３０ｌが、折れ線Ｃ１１に対して６０度をなし、辺部３０ｃと辺部３０ｄとが互いに直角をなし、辺部３０ｄと辺部３０ｅとが互いに直角をなし、辺部３０ｅと辺部３０ｆとが互いに直角をなし、辺部３０ｆと辺部３０ｇとが互いに直角をなし、辺部３０ｇと辺部３０ｈとが互いに直角をなし、辺部３０ｈと辺部３０ｉとが互いに直角をなし、辺部３０ｉと辺部３０ｊとが互いに直角をなし、辺部３０ｊと辺部３０ｋとが互いに直角をなし、辺部３０ｋと辺部３０ｌとが互いに直角をなし、内左側面部１４及び右側面部３０においては、辺部１４ｃと辺部３０ｃとが互いに平行に形成され、辺部１４ｅと辺部３０ｅとが互いに平行に形成され、辺部１４ｇと辺部３０ｇとが互いに平行に形成され、辺部１４ｉと辺部３０ｉとが互いに平行に形成され、辺部１４ｋと辺部３０ｋとが互いに平行に形成されている構成としてもよい。
【００７５】
また、折返し部５０は、外背面部４０の上辺から折れ線を介して連設されているとしたが、外背面部４０の辺部における上端領域で左側面部１０の上端及び右側面部３０の上端よりも上方に突出した領域、つまり、外背面部４０の上辺、外背面部４０の右側面側の辺部における上端部位で左側面部１０の上端及び右側面部３０の上端よりも上方に突出した領域、外背面部４０の左側面側の辺部における上端部位で左側面部１０の上端及び右側面部３０の上端よりも上方に突出した領域のいずれの領域から連設されていてもよい。つまり、折返し部５０が、外背面部４０の上辺と、外背面部４０の右側面側の辺部における上端領域と、外背面部４０の左側面側の辺部における上端領域とにおけるいずれかから連設された構成であればよい。
【００７６】
例えば、図１４に示すように、折返し部５０が、外背面部４０の右側面側の辺部における上端部位で左側面部１０の上端及び右側面部３０の上端よりも上方に突出した部位から折れ線を介して連設され、外背面部４０に対して正面側（背面側でもよい）に折り返して接着する構成としたり、また、図示しないが、折返し部５０が、外背面部４０の左側面側の辺部における上端部位で左側面部１０の上端及び右側面部３０の上端よりも上方に突出した部位から折れ線を介して連設され、外背面部４０に対して正面側（背面側でもよい）に折り返して接着する構成としもよい。
【００７７】
なお、上記の商品陳列具５を左右対称とした構成としてもよい。すなわち、商品陳列具５を左右対称にした構成は、図１５、図１６に示す商品陳列具５’のようになり、商品陳列具５’は、右側面部１０’と、右側面部１０’から連設された傾斜板部群２０’と、傾斜板部群２０’から連設された左側面部３０’と、左側面部３０’から折れ線Ｃ１１’（第６折れ線）を介して連設された外背面部４０’と、外背面部４０’の左側面部３０’とは反対側の辺部から連設された差込み片部４２’、４４’、４６’と、左側面部３０’の上辺から連設された折返し部５０’と、右側面部１０’の背面側の辺部から折れ線Ｃ１２’（第４折れ線）を介して連設された内背面部６０’と、内背面部６０’の右側面部１０と反対側の辺部から折れ線Ｃ１３’（第５折れ線）を介して連設された仕切り部７０’とを有している。
【００７８】
また、右側面部１０’は、外右側面部１２’と内右側面部１４’とを有し、内右側面部１４’は、外右側面部１２’の正面側の辺部から折れ線Ｃ１０’（第１折れ線）を介して連設され、外右側面部１２’に対して内側に折り返されて、外右側面部１２’に接着されている。
【００７９】
また、傾斜板部群２０’は、内右側面部１４’から折れ線Ｃ２１ａ’〜Ｃ２５ａ’（第２折れ線）を介して連設されるとともに、左側面部３０’から折れ線Ｃ２１ｂ’〜Ｃ２５ｂ’（第３折れ線）を介して連設された傾斜板部２０−１’〜２０−５’を有している。
【００８０】
また、差込み片部４２’、４４’、４６’を差し込むための被差込み部８２Ｐ’、８４Ｐ’、８６Ｐ’が、折れ線Ｃ１２’に沿って形成されている。
【００８１】
また、傾斜板部２０−１’〜２０−５’には、切欠部２０−１Ｐ’〜２０−５’が設けられ、また、仕切り部７０’には、内背面部６０’とは反対側の辺部７０ａ’に切欠部７０−１Ｐ’、７０−２Ｐ’、７０−３Ｐ’、７０−４Ｐ’、７０−５Ｐ’が設けられている。
【００８２】
また、外背面部４０’の上端領域には、紐状部材を挿通するための一対の穴部４０ａ’、４０ｂ’が形成されている。折返し部５０’には、穴部４０ａ’、４０ｂ’と対応する位置に、穴部５０ａ’、５０ｂ’が設けられている。外背面部４０’と折返し部５０’とから外背面構成部５５’が構成される。
【００８３】
商品陳列具５’を展開した状態は、図１６に示すように、図４に示す商品陳列具５と左右対称に形成されている。
【００８４】
また、商品陳列具５’において、図１２、図１３の場合と同様に、傾斜板部２０−１’〜２０−５’の外背面部４０’に対する傾斜角度を４５度以外としてもよい。
【００８５】
また、折返し部５０’は、外背面部４０’の上辺ではなく、外背面部４０’の右側面側の辺部における上端領域や、外背面部４０’の左側面側の辺部における上端領域とにおけるいずれかから連設された構成であればよい。
【符号の説明】
【００８６】
５、５’  商品陳列具
１０  左側面部
１０’  右側面部
１２  外左側面部
１２’  外右側面部
１４  内左側面部
１４’  内右側面部
１４ａ、１４ｂ、１４ｃ、１４ｄ、１４ｅ、１４ｆ、１４ｇ、１４ｈ、１４ｉ、１４ｊ、１４ｋ、１４ｌ、１４ｍ、２０−１ａ、２０−２ａ、２０−３ａ、２０−４ａ、２０−５ａ、３０ａ、３０ｂ、３０ｃ、３０ｄ、３０ｅ、３０ｆ、３０ｇ、３０ｈ、３０ｉ、３０ｊ、３０ｋ、３０ｌ、７０ａ、Ｐ１０ａ、Ｐ１０ｂ、Ｐ１０ｃ  辺部
２０、２０’  傾斜板部群
２０−１、２０−２、２０−３、２０−４、２０−５、２０−１’、２０−２’、２０−３’、２０−４’、２０−５’  傾斜板部
２０−１Ｐ、２０−２Ｐ、２０−３Ｐ、２０−４Ｐ、２０−５Ｐ、７０−１Ｐ、７０−２Ｐ、７０−３Ｐ、７０−４Ｐ、７０−５Ｐ、２０−１Ｐ’、２０−２Ｐ’、２０−３Ｐ’、２０−４Ｐ’、２０−５Ｐ’、７０−１Ｐ’、７０−２Ｐ’、７０−３Ｐ’、７０−４Ｐ’、７０−５Ｐ’  切欠部
２１−１Ｐ、２１−２Ｐ、２１−３Ｐ、２１−４Ｐ、２１−５Ｐ  切込み
３０  右側面部
３０’  左側面部
４０、４０’  外背面部
４０ａ、４０ｂ、５０ａ、５０ｂ、５５ａ、５５ｂ、４０ａ’、４０ｂ’、５０ａ’、５０ｂ’  穴部
４２、４４、４６、４２’、４４’、４６’  差込み片部
５０、５０’  折返し部
５５、５５’  外背面構成部
６０、６０’  内背面部
７０、７０’  仕切り部
８２Ｐ、８４Ｐ、８６Ｐ、８２Ｐ’、８４Ｐ’、８６Ｐ’  被差込み部
Ｃ１０、Ｃ１１、Ｃ１２、Ｃ１３、Ｃ２１ａ、Ｃ２２ａ、Ｃ２３ａ、Ｃ２４ａ、Ｃ２５ａ、Ｃ２１ｂ、Ｃ２２ｂ、Ｃ２３ｂ、Ｃ２４ｂ、Ｃ２５ｂ、Ｃ１０’、Ｃ１１’、Ｃ１２’、Ｃ１３’、Ｃ２１ａ’、Ｃ２２ａ’、Ｃ２３ａ’、Ｃ２４ａ’、Ｃ２５ａ’、Ｃ２１ｂ’、Ｃ２２ｂ’、Ｃ２３ｂ’、Ｃ２４ｂ’、Ｃ２５ｂ’  折れ線
Ｐ１０、Ｐ２０  手前側切欠部
Ｐ１１、Ｐ２１  奥側切欠部
Ｓ  紐状部材
Ｆ  フック部
Ｇ  商品
Ｗ  商品収納部
【図１】
0003196576.tif 000003
【図２】
0003196576.tif 000004
【図３】
0003196576.tif 000005
【図４】
0003196576.tif 000006
【図５】
0003196576.tif 000007
【図６】
0003196576.tif 000008
【図７】
0003196576.tif 000009
【図８】
0003196576.tif 000010
【図９】
0003196576.tif 000011
【図１０】
0003196576.tif 000012
【図１１】
0003196576.tif 000013
【図１２】
0003196576.tif 000014
【図１３】
0003196576.tif 000015
【図１４】
0003196576.tif 000016
【図１５】
0003196576.tif 000017
【図１６】
0003196576.tif 000018